(57)【要約】【課題】本発明は、ドライブルートを分割して、１つのルートとして容易に設定することが可能な仕組みを提供すること【解決手段】出発地点の指定を受け付け、目的地点の指定を受け付け、受け付けた出発地点から目的地点までのルートを取得し、取得したルートを分割すべく、取得したルートの途中地点であって、前記出発地点からのルート案内を中断すべき場所である中断地点の指定を受け付け、中断地点で中断されたルート案内を再開すべき場所である再開地点の指定を受け付け、当該中断地点の情報と再開地点の情報とを用いてルートを分割し、分割したルートの情報を、前記出発地点から前記目的地点までのルート案内をするためのルートとして記憶する【選択図】図５
2015125024.tif 000002
【特許請求の範囲】
【請求項１】
ユーザからの指示を受け付けるクライアント装置と、ルートを検索する情報処理装置と、ビ装置とから構成が可能な情報処理システムであって、
出発地点の指定を受け付ける出発地点指定受付手段と、
目的地点の指定を受け付ける目的地点指定受付手段と、
前記出発地点指定受付手段で受け付けた出発地点から前記目的地点指定受付手段で受け付けた目的地点までのルートを取得するルート取得手段と、
前記ルート取得手段で取得したルートを分割すべく、前記ルート取得手段で取得したルートの途中地点であって、前記出発地点からのルート案内を中断すべき場所である中断地点の指定を受け付ける中断地点指定受付手段と、
前記ルート取得手段で取得したルートの途中地点であって、前記中断地点指定受付手段で指定を受け付けた中断地点で中断されたルート案内を再開すべき場所である再開地点の指定を受け付ける再開地点指定受付手段と、
前記ルート取得手段で取得した前記ルートを、前記中断地点指定受付手段で指定を受け付けた中断地点の情報と、前記再開地点指定受付手段で指定を受け付けた再開地点の情報とを用いて分割するルート分割手段と、
前記ルート分割手段で分割したルートの情報を、前記出発地点指定受付手段で指定を受け付けた前記出発地点から、前記目的地点指定受付手段で指定を受け付けた前記目的地点までのルート案内をするためのルートとして記憶する分割ルート記憶手段と、
を備えることを特徴とする情報処理システム。
【請求項２】
地図の情報である地図情報を取得する第１の取得手段と、
前記第１の取得手段で取得した第１の地図情報と異なる第２の地図情報を取得する第２の取得手段と、
前記ルート取得手段で取得した前記ルートを、表示画面に表示すべく制御する表示制御手段と、
を備え、
前記ルート取得手段は、前記第１の地図情報を用いて特定された、前記出発地点指定受付手段で受け付けた出発地点から前記目的地点指定受付手段で受け付けた目的地点までのルートである第１のルートと、前記第２の地図情報を用いて特定された、前記出発地点指定受付手段で受け付けた出発地点から前記目的地点指定受付手段で受け付けた目的地点までのルートである第２のルートと、を取得し、
前記表示制御手段は、前記ルート取得手段で取得した、前記第１のルート及び第２のルートを、表示画面に表示すべく制御し、
前記ルート分割手段は、表示制御手段で表示すべく制御した前記第１のルート又は第２のルートのいずれか１つを、前記中断地点指定受付手段で指定を受け付けた中断地点の情報と、前記再開地点指定受付手段で指定を受け付けた再開地点の情報とを用いて分割することを特徴とする請求項１に記載の情報処理システム。
【請求項３】
前記表示制御手段は、前記第１のルートと前記第２のルートを１つの地図上に比較して表示すべく制御することを特徴とする請求項２に記載の情報処理システム。
【請求項４】
前記表示制御手段は、前記第１のルートと前記第２のルートをそれぞれ地図上に配置して、比較して表示すべく制御することを特徴とする請求項２又は３に記載の情報処理システム。
【請求項５】
前記ルート取得手段で取得した前記第１のルートと前記第２のルートのどちらが新しいか判定する判定手段と、
を備え、
前記中断地点指定受付手段は、前記判定手段で新しいルートと判定されたルートを分割すべく、前記新しいルートの途中地点である前記中断地点の指定を受け付け、
前記再開地点指定受付手段は、前記判定手段で新しいルートと判定されたルートの途中地点であって、前記中断されたルート案内を再開すべき場所である再開地点の指定を受け付けることを特徴とする請求項２乃至４のいずれか１項に記載の情報処理システム。
【請求項６】
ユーザ情報に対応付けて、前記ユーザ情報に対応するナビ装置の地図情報を記憶する記憶手段と、
を備え、
前記第１の取得手段は、前記記憶手段に記憶された前記ユーザ情報に対応するナビ装置の地図情報を取得することを特徴とする請求項２乃至５のいずれか１項に記載の情報処理システム。
【請求項７】
自動車の位置情報を取得する位置情報取得手段と、
前記分割ルート記憶手段から取得した前記分割ルートを、ナビ装置に設定する設定手段と、
前記設定手段で設定した分割ルートに従って、前記出発地点から前記中断地点までの第３のルートのルート案内を開始するルート案内開始手段と、
前記位置情報取得手段で取得した位置情報に基づいて、前記自動車が、前記中断地点に到達したか判定する中断判定手段と、
前記中断判定手段で、前記自動車が前記中断地点に到達したと判定した場合に前記ルート案内を中断する中断手段と、
前記位置情報取得手段で取得した位置情報に基づいて、前記自動車が、前記再開地点に到達したか判定する再開判定手段と、
前記再開判定手段で、前記自動車が前記再開地点に到達したと判定した場合に前記ルート案内を再開する再開手段と、
を備える請求項１乃至６のいずれか１項に記載の情報処理システム。
【請求項８】
ユーザからの指示を受け付けるクライアント装置と、ルートを検索する情報処理装置と、ナビ装置とから構成が可能な情報処理システムの制御方法であって、
出発地点の指定を受け付ける出発地点指定受付工程と、
目的地点の指定を受け付ける目的地点指定受付工程と、
前記出発地点指定受付工程で受け付けた出発地点から前記目的地点指定受付工程で受け付けた目的地点までのルートを取得するルート取得工程と、
前記ルート取得工程で取得したルートを分割すべく、前記ルート取得工程で取得したルートの途中地点であって、前記出発地点からのルート案内を中断すべき場所である中断地点の指定を受け付ける中断地点指定受付工程と、
前記ルート取得工程で取得したルートの途中地点であって、前記中断地点指定受付工程で指定を受け付けた中断地点で中断されたルート案内を再開すべき場所である再開地点の指定を受け付ける再開地点指定受付工程と、
前記ルート取得工程で取得した前記ルートを、前記中断地点指定受付工程で指定を受け付けた中断地点の情報と、前記再開地点指定受付工程で指定を受け付けた再開地点の情報とを用いて分割するルート分割工程と、
前記ルート分割工程で分割したルートの情報を、前記出発地点指定受付工程で指定を受け付けた前記出発地点から、前記目的地点指定受付工程で指定を受け付けた前記目的地点までのルート案内をするためのルートとして記憶する分割ルート記憶工程と、
を含むことを特徴とする情報処理システムの制御方法。
【請求項９】
ユーザからの指示を受け付けるクライアント装置と、ルートを検索する情報処理装置と、ナビ装置とから構成が可能な情報処理システムで実行が可能なプログラムであって、
前記情報処理システムを、
出発地点の指定を受け付ける出発地点指定受付手段と、
目的地点の指定を受け付ける目的地点指定受付手段と、
前記出発地点指定受付手段で受け付けた出発地点から前記目的地点指定受付手段で受け付けた目的地点までのルートを取得するルート取得手段と、
前記ルート取得手段で取得したルートを分割すべく、前記ルート取得手段で取得したルートの途中地点であって、前記出発地点からのルート案内を中断すべき場所である中断地点の指定を受け付ける中断地点指定受付手段と、
前記ルート取得手段で取得したルートの途中地点であって、前記中断地点指定受付手段で指定を受け付けた中断地点で中断されたルート案内を再開すべき場所である再開地点の指定を受け付ける再開地点指定受付手段と、
前記ルート取得手段で取得した前記ルートを、前記中断地点指定受付手段で指定を受け付けた中断地点の情報と、前記再開地点指定受付手段で指定を受け付けた再開地点の情報とを用いて分割するルート分割手段と、
前記ルート分割手段で分割したルートの情報を、前記出発地点指定受付手段で指定を受け付けた前記出発地点から、前記目的地点指定受付手段で指定を受け付けた前記目的地点までのルート案内をするためのルートとして記憶する分割ルート記憶手段として機能させることを特徴とする情報処理システムのプログラム。
【請求項１０】
出発地点の指定を受け付ける出発地点指定受付手段と、
目的地点の指定を受け付ける目的地点指定受付手段と、
前記出発地点指定受付手段で受け付けた出発地点から前記目的地点指定受付手段で受け付けた目的地点までのルートを取得するルート取得手段と、
前記ルート取得手段で取得したルートを分割すべく、前記ルート取得手段で取得したルートの途中地点であって、前記出発地点からのルート案内を中断すべき場所である中断地点の指定を受け付ける中断地点指定受付手段と、
前記ルート取得手段で取得したルートの途中地点であって、前記中断地点指定受付手段で指定を受け付けた中断地点で中断されたルート案内を再開すべき場所である再開地点の指定を受け付ける再開地点指定受付手段と、
前記ルート取得手段で取得した前記ルートを、前記中断地点指定受付手段で指定を受け付けた中断地点の情報と、前記再開地点指定受付手段で指定を受け付けた再開地点の情報とを用いて分割するルート分割手段と、
前記ルート分割手段で分割したルートの情報を、前記出発地点指定受付手段で指定を受け付けた前記出発地点から、前記目的地点指定受付手段で指定を受け付けた前記目的地点までのルート案内をするためのルートとして記憶する分割ルート記憶手段と、
を備えることを特徴とする情報処理装置。
【請求項１１】
出発地点の指定を受け付ける出発地点指定受付工程と、
目的地点の指定を受け付ける目的地点指定受付工程と、
前記出発地点指定受付工程で受け付けた出発地点から前記目的地点指定受付工程で受け付けた目的地点までのルートを取得するルート取得工程と、
前記ルート取得工程で取得したルートを分割すべく、前記ルート取得工程で取得したルートの途中地点であって、前記出発地点からのルート案内を中断すべき場所である中断地点の指定を受け付ける中断地点指定受付工程と、
前記ルート取得工程で取得したルートの途中地点であって、前記中断地点指定受付工程で指定を受け付けた中断地点で中断されたルート案内を再開すべき場所である再開地点の指定を受け付ける再開地点指定受付工程と、
前記ルート取得工程で取得した前記ルートを、前記中断地点指定受付工程で指定を受け付けた中断地点の情報と、前記再開地点指定受付工程で指定を受け付けた再開地点の情報とを用いて分割するルート分割工程と、
前記ルート分割工程で分割したルートの情報を、前記出発地点指定受付工程で指定を受け付けた前記出発地点から、前記目的地点指定受付工程で指定を受け付けた前記目的地点までのルート案内をするためのルートとして記憶する分割ルート記憶工程と、
を含むことを特徴とする情報処理装置の制御方法。
【請求項１２】
情報処理装置を、
出発地点の指定を受け付ける出発地点指定受付手段と、
目的地点の指定を受け付ける目的地点指定受付手段と、
前記出発地点指定受付手段で受け付けた出発地点から前記目的地点指定受付手段で受け付けた目的地点までのルートを取得するルート取得手段と、
前記ルート取得手段で取得したルートを分割すべく、前記ルート取得手段で取得したルートの途中地点であって、前記出発地点からのルート案内を中断すべき場所である中断地点の指定を受け付ける中断地点指定受付手段と、
前記ルート取得手段で取得したルートの途中地点であって、前記中断地点指定受付手段で指定を受け付けた中断地点で中断されたルート案内を再開すべき場所である再開地点の指定を受け付ける再開地点指定受付手段と、
前記ルート取得手段で取得した前記ルートを、前記中断地点指定受付手段で指定を受け付けた中断地点の情報と、前記再開地点指定受付手段で指定を受け付けた再開地点の情報とを用いて分割するルート分割手段と、
前記ルート分割手段で分割したルートの情報を、前記出発地点指定受付手段で指定を受け付けた前記出発地点から、前記目的地点指定受付手段で指定を受け付けた前記目的地点までのルート案内をするためのルートとして記憶する分割ルート記憶手段として機能させることを特徴とする情報処理装置のプログラム。
【発明の詳細な説明】
【技術分野】
【０００１】
本発明は、情報処理装置、情報処理システム、その制御方法及びプログラムに関する。
【背景技術】
【０００２】
出発地点と目的地点との入力を受け付けることで、地図データを用いて、目的地点までのルート検索を行うカーナビゲーション装置（ナビ）が一般に知られている。従来のカーナビゲーション装置には、ＰＣのようにキーボード、マウス等の装置が用意されていないため操作がし辛かった。
【０００３】
これに対し、例えば特許文献１には、予めＰＣにてインターネット上のＷＥＢサーバにルートの情報を登録しておき、自動車に設置されたナビ装置にて当該ＷＥＢサーバより、インターネットを介してルートの情報をダウンロードし、ナビ装置にルートを設定する技術が公開されている。
【先行技術文献】
【特許文献】
【０００４】
【特許文献１】特開２００２−２２１４２５号公報
【発明の概要】
【発明が解決しようとする課題】
【０００５】
しかしながら、ナビ装置に記憶されている地図のバージョンと、ＷＥＢサーバに記憶されている地図のバージョンが異なる場合、例えば、ＷＥＢサーバに最新のバージョンの地図が記憶されている場合、当該ナビ装置に対してルートがうまく設定されないことが考えられる。
【０００６】
つまり、ＰＣからの指示に応じてＷＥＢサーバ側で検索・登録したルート上の一部の道のデータが、ナビ装置の地図には存在しない場合があり、ルートが適切に設定できないことが考えられる。
【０００７】
また、出発地点から当該ナビ装置に存在しない道の手前までのルート案内を実行した後、ナビ装置にて、当該道を越えた先から目的地点までの新たなルートを検索して設定し、ルート案内を新たに開始することが考えられるが、自動車が走行中の場合、ドライバーはナビ装置の操作ができず、当該新たなルートの設定は難しい。
【０００８】
本発明は、ドライブルートを分割して、１つのルートとして容易に設定することが可能な仕組みを提供することを目的とする。
【課題を解決するための手段】
【０００９】
本発明の情報処理システムは、ユーザからの指示を受け付けるクライアント装置と、ルートを検索する情報処理装置と、ナビ装置とから構成が可能な情報処理システムであって、出発地点の指定を受け付ける出発地点指定受付手段と、目的地点の指定を受け付ける目的地点指定受付手段と、前記出発地点指定受付手段で受け付けた出発地点から前記目的地点指定受付手段で受け付けた目的地点までのルートを取得するルート取得手段と、前記ルート取得手段で取得したルートを分割すべく、前記ルート取得手段で取得したルートの途中地点であって、前記出発地点からのルート案内を中断すべき場所である中断地点の指定を受け付ける中断地点指定受付手段と、前記ルート取得手段で取得したルートの途中地点であって、前記中断地点指定受付手段で指定を受け付けた中断地点で中断されたルート案内を再開すべき場所である再開地点の指定を受け付ける再開地点指定受付手段と、前記ルート取得手段で取得した前記ルートを、前記中断地点指定受付手段で指定を受け付けた中断地点の情報と、前記再開地点指定受付手段で指定を受け付けた再開地点の情報とを用いて分割するルート分割手段と、前記ルート分割手段で分割したルートの情報を、前記出発地点指定受付手段で指定を受け付けた前記出発地点から、前記目的地点指定受付手段で指定を受け付けた前記目的地点までのルート案内をするためのルートとして記憶する分割ルート記憶手段と、を備えることを特徴とする。
【発明の効果】
【００１０】
本発明によれば、ドライブルートを分割して、１つのルートとして容易に設定することが可能な仕組みを提供することができる。
【図面の簡単な説明】
【００１１】
【図１】本発明の実施形態における、情報処理装置を含む情報処理システムの構成の一例を示す図である。
【図２】本発明の実施形態における、各種装置のハードウェア構成の一例を示す図である。
【図３】本発明の実施形態における、各種装置の機能構成の一例を示す図である。
【図４】本発明の実施形態における、ルート設定処理の概要を示すフローチャートである。
【図５】本発明の実施形態における、分割ルートの設定処理の流れを示すフローチャートである。
【図６】本発明の実施形態における、分割ルートを用いたルート案内処理の流れを示すフローチャートである。
【図７】本発明の実施形態における、各種データテーブルの構成の一例を示す図である。
【図８】本発明の実施形態における、ルート設定画面の構成の一例を示す図である。
【図９】本発明の実施形態における、ルート設定画面の構成の一例を示す図である。
【図１０】本発明の実施形態における、ナビ装置のルート確認画面の構成の一例を示す図である。
【図１１】本発明の実施形態における、ルート設定画面の構成の一例を示す図である。
【発明を実施するための形態】
【００１２】
以下、図面を参照して、本発明の実施の形態の一例について説明する。
【００１３】
図１を参照して、本発明の実施形態における、情報処理装置を含む情報処理システムの構成の一例について説明する。図１は、本発明の実施形態における、情報処理装置を含む情報処理システムの構成の一例を示す図である。
【００１４】
クライアントＰＣ１００は、ブラウザソフトウェアを備え、ＷＡＮ（ワイドエリアネットワーク）１０１を介して管理サーバ２００に接続し、管理サーバ２００の提供するドライブルートの検索サービスを利用する。
【００１５】
管理サーバ２００は、地図の情報（地図情報）を記憶しており、当該地図情報を用いた、ルート検索のサービスを提供している。つまり、クライアントＰＣ１００がブラウザソフトウェアを立ち上げ、所定のＵＲＬの入力を受け付けることで、当該所定のＵＲＬを介して管理サーバ２００が提供しているルーと検査のインターネットページを、クライアントＰＣ１００の表示画面上（ブラウザのウインドウ）に表示する。
【００１６】
また、当該クライアントＰＣ１００においてユーザからの指示を受け付け、当該指示の内容を管理サーバ２００に送信することで、管理サーバ２００がルート検索の処理、当該検索したルートの記憶処理を行う。
【００１７】
ナビ装置３００は、管理サーバ２００からドライブルートの情報をダウンロードして、自端末に設定する機能を備える。以上が図１の、本発明の実施形態における、情報処理装置を含む情報処理システムの構成の一例についての説明である。
【００１８】
次に図２を参照して、本発明の実施形態における、各種装置のハードウェア構成の一例について説明する。図２は、本発明の実施形態における、各種装置のハードウェア構成の一例を示す図である。
【００１９】
ＣＰＵ２０１は、システムバス２０４に接続される各デバイスやコントローラを統括的に制御する。
【００２０】
また、ＲＯＭ２０２あるいは外部メモリ２１１には、ＣＰＵ２０１の制御プログラムであるＢＩＯＳ(Ｂａｓｉｃ  Ｉｎｐｕｔ  ／  Ｏｕｔｐｕｔ  Ｓｙｓｔｅｍ)やオペレーティングシステムプログラム（以下、ＯＳ）や、各サーバ或いは各ＰＣの実行する機能を実現するために必要な後述する各種プログラム等が記憶されている。ＲＡＭ２０３は、ＣＰＵ２０１の主メモリ、ワークエリア等として機能する。
【００２１】
ＣＰＵ２０１は、処理の実行に際して必要なプログラム等をＲＡＭ２０３にロードして、プログラムを実行することで各種動作を実現するものである。また、入力コントローラ（入力Ｃ）２０５は、キーボード２０９や不図示のマウス等のポインティングデバイスからの入力を制御する。
【００２２】
ビデオコントローラ（ＶＣ）２０６は、ＣＲＴディスプレイ（ＣＲＴ）２１０等の表示器への表示を制御する。表示器はＣＲＴだけでなく、液晶ディスプレイでも構わない。これらは必要に応じて管理者が使用するものである。本発明には直接関係があるものではない。
【００２３】
メモリコントローラ（ＭＣ）２０７は、ブートプログラム、ブラウザソフトウエア、各種のアプリケーション、フォントデータ、ユーザファイル、編集ファイル、各種データ等を記憶するハードディスク（ＨＤ）やフロッピー（登録商標）ディスク（ＦＤ）或いはＰＣＭＣＩＡカードスロットにアダプタを介して接続されるコンパクトフラッシュ（登録商標）メモリ等の外部メモリ２１１へのアクセスを制御する。
【００２４】
通信Ｉ／Ｆコントローラ（通信Ｉ／ＦＣ）２０８は、ネットワークを介して、外部機器と接続・通信するものであり、ネットワークでの通信制御処理を実行する。例えば、ＴＣＰ／ＩＰを用いたインターネット通信等が可能である。
【００２５】
なお、ＣＰＵ２０１は、例えばＲＡＭ２０３内の表示情報用領域へアウトラインフォントの展開（ラスタライズ）処理を実行することにより、ＣＲＴ２１０上での表示を可能としている。また、ＣＰＵ２０１は、ＣＲＴ２１０上の不図示のマウスカーソル等でのユーザ指示を可能とする。
【００２６】
本発明を実現するためのプログラムは外部メモリ２１１に記録されており、必要に応じてＲＡＭ２０３にロードされることによりＣＰＵ２０１によって実行されるものである。さらに、本発明に係わるプログラムが用いる定義ファイル及び各種情報テーブルは外部メモリ２１１に格納されている。以上が図２の、本発明の実施形態における各種装置のハードウェア構成の一例についての説明である。
【００２７】
次に図３を参照して、本発明の実施形態における、各種装置の機能構成の一例について説明する。図３は、本発明の実施形態における、各種装置の機能構成の一例を示す図である。
【００２８】
出発地点指定指示受付部３０１は、ルート案内の出発地点の指定指示を受け付ける受付部である。目的地点指定指示受付部３０２は、ルート案内の目的地点の指定指示を受け付ける受付部である。ルート表示部３０３は、出発地点、目的地に基づいて管理サーバで検索されたドライブルートの情報を地図情報と合わせて表示する表示部である。
【００２９】
ルート分割指示受付部３０４は、当該ルートの分割指示を受け付ける受付部である。例えば、図９の中断地点９１１、再開地点９２１の指定指示を受け付けることで、１つのルートを図９でいうルートＡとルートＢに分割する指示を受け付ける。図９の説明は後述する。
【００３０】
地図情報記憶部３１１は、複数の地図情報（同一区域に関する複数のバージョンの地図情報）を記憶している。また、ユーザ情報（例えばユーザを識別するユーザＩＤ）と当該ユーザの所有するナビ装置３００のバージョンの地図情報を対応付けて記憶している。ルート情報生成部３１２は、出発地点から目的地点までのルートの情報（ルート情報）を生成する。
【００３１】
分割ルート情報生成部３１３は、ルート分割指示受付部３０４で受け付けた指示の内容をクライアントＰＣ１００から受信することで、当該指示に応じてルートを分割して、分割後のルート（分割された複数のルートの集合の情報）であって、出発地点から目的地点までのルート案内のためのルート情報である分割ルートを生成する。
【００３２】
分割ルート情報記憶部３１４は、分割ルートをユーザ情報に対応付けて記憶する記憶部である。分割ルート情報送信部３１５は、当該分割ルートの情報をナビ装置３００に送信する送信部である。
【００３３】
位置情報取得部３２１は、ナビ装置３００に設置された不図示のＧＰＳ機能を用いて、当該ナビ装置の位置（＝ナビ装置の設置された自動車の位置／場所）を計測して取得する。分割ルート情報取得部３２２は、管理サーバ２００から受信した分割ルートのうち、ナビ装置３００に設定するルートを取得する。
【００３４】
ルート別開始・終了地点判定部３２３は、位置情報取得部で取得した位置情報に基づいて、ナビ装置３００（ナビ装置３００が設置された自動車）が、図９でいうルートＡの終了地点（中断地点）、ルートＢの開始地点（再開地点）に到達したか判定する判定部である。
【００３５】
ナビ装置３００は、ナビ装置３００が図９でいうルートＡの終了地点（中断地点）に到達した場合に、ルート案内（ナビ）を中断し、図９でいうルートＢの開始地点（再開地点）に到達した場合に、ルート案内を再開する処理を行う。
【００３６】
分割ルート表示部３２４は、当該分割ルートをナビ装置３００に設定するにあたり、当該ナビ装置３００の表示画面に、分割ルート情報取得部３２２で取得した分割ルートを表示する表示部である。以上が図３の、本発明の実施形態における、各種装置の機能構成の一例についての説明である。
【００３７】
次に図４を参照して、本発明の実施形態における、ルート設定処理の概要について説明する。図４は、本発明の実施形態における、ルート設定処理の概要を示すフローチャートである。
【００３８】
クライアントＰＣ１００のＣＰＵ２０１は、ステップＳ４０１の処理の前処理として、ユーザ操作に応じてブラウザソフトウェアを起動し、所定のＵＲＬの入力を受け付けて、ＷＡＮ１０１を介して管理サーバ２００にアクセスし、不図示のログイン画面を表示画面に表示する。
【００３９】
そして、当該不図示のログイン画面において、ユーザＩＤ・パスワードの入力を受け付け、管理サーバ２００の外部メモリに記憶されているユーザＩＤ・パスワードと照合して認証処理を行い、認証に成功した場合に、クライアントＰＣ１００の管理サーバ２００へのログインを許可する（認証に成功した）旨の情報として、クライアントＰＣ１００に不図示の地図情報を表示した地図画面を送信する。
【００４０】
ここでステップＳ４０１の処理に移行する。クライアントＰＣ１００のＣＰＵ２０１は、ドライブルートの検索を管理サーバ２００に依頼すべく、ルートの出発地点の入力（ステップＳ４０１／出発地点指定受付）、ルートの目的地点の入力（ステップＳ４０２／目的地点指定受付）を受け付ける。そして、当該出発地点の情報、目的地点の情報、前記ログインに際して入力されたユーザＩＤの上布を含む、ルートの作成（検索）の依頼を管理サーバ２００に送信する（ステップＳ４０３）。
【００４１】
管理サーバ２００のＣＰＵ２０１は、当該要求を受信し（ステップＳ４０４／出発地点指定受付、目的地点指定受付）、外部メモリに記憶された、当該要求に含まれるユーザＩＤに対応する地図情報を取得する（ステップＳ４０５）。当該地図情報他、各種データの構成については図７の説明で後述する。
【００４２】
ここで図７を参照して、本発明の実施形態における、各種データテーブルの構成の一例について説明する。図７は、本発明の実施形態における、各種データテーブルの構成の一例を示す図である。
【００４３】
ユーザ情報７００、最新地図情報７１０、ルート検索結果７２０、分割ルート情報７３０は管理サーバ２００の外部メモリに記憶されている。分割ルート情報７３０は、ナビ装置３００によって管理サーバ２００からダウンロードされることで、ナビ装置３００の記憶領域に記憶される。
ナビ装置地図情報７４０、現在ルート情報７５０は、ナビ装置３００に記憶されている情報である。
【００４４】
ユーザＩＤ７０１は、ユーザの識別情報である。地図バージョン７０２は、ユーザＩＤに対応する地図情報のバージョンを示す。また、当該地図バージョン７０２の示す地図は、管理サーバ２００の外部メモリに記憶されている。ここでは、当該地図バージョン７０２の示す地図のバージョンは、ユーザＩＤ７０１の示すユーザのナビ装置３００の記憶しているナビ装置地図情報７４０の地図バージョンと同一であるものとして記憶されているものとする。
【００４５】
最新地図情報７１０は、管理サーバ２００に記憶されている最新の地図のバージョンを示す。当該最新のバージョンの地図の情報は、管理サーバ２００の外部メモリに記憶されている。
【００４６】
ルート検索結果７２０は、後述するルート検索（作成）の処理によって、最新地図情報７１０を用いて作成されるルートの情報と、当該ルート検索（作成）の依頼をしたユーザのユーザＩＤ７０１に対応する地図バージョン７０２の示す地図（ナビ装置３００に記憶されている地図）とを用いて作成されるルートの情報が記憶されるテーブルである。
【００４７】
ユーザＩＤ７２１は、当該ルート検索（作成）の依頼をしたユーザのユーザＩＤである。ルートＩＤは、検索されたそれぞれのルートの識別情報である。ルート出発地点７２３は、ルート目的地点７２４は、それぞれルートの出発地点、目的地点を示す。例えば、緯度経度で示される座標の情報が挿入される。地図バージョン７２５は、それぞれのルート検索に用いられた地図情報のバージョンを示す。
分割ルート情報７３０は、後述するルート分割の処理で分割されたルート（図９でいうルートＡ及びルートＢ）のそれぞれのルートの情報を示す。
【００４８】
ユーザＩＤ７２１は、当該ルート分割（分割ルートの作成）の依頼をしたユーザのユーザＩＤである。ルートＩＤ７３２は、分割されたそれぞれのルートがまとまりの情報であることを示す。つまり、ルートＡとルートＢの集合が１つの分割ルートであることを示す分割ルートの識別情報である。
【００４９】
分割ルート名７３３は、分割されたそれぞれのルートの名称であり、分割されたそれぞれのルートの識別情報である。当該名称は分割ルート作成時に管理サーバ２００により自動で決定されるものとする。
【００５０】
開始地点７３４は、当該分割ルートの開始地点を示す。出発地点から目的地の間に作成された複数の分割ルートのうち、先頭の分割ルートの場合は、開始地点７３４＝ルート出発地点７２３の値（座標値）が挿入される。２つ目以降の分割ルートの場合は、ユーザからの操作指示に応じて特定された、ルート案内を再開する再開地点（図９でいう再開地点９２１）の位置情報（座標）が挿入される。
【００５１】
終着地点７３５は、当該分割ルートの終着地点を示す。出発地点から目的地の間に作成された複数の分割ルートのうち、最後尾（最後）の分割ルートの場合は、終着地点７３５＝ルート目的地点７２４の値（座標値）が挿入される。最後尾より手前の分割ルートの場合は、ユーザからの操作指示に応じて特定された、ルート案内を中断する中断地点（図９でいう中断地点９１１）の位置情報（座標）が挿入される。
【００５２】
ナビ装置地図情報７４０は、ナビ装置３００に記憶されている地図情報である。現在ルート情報７５０は、ナビ装置３００の位置測定機能によって測定され取得される、当該ナビ装置３００の現在位置を示す現在位置７５２と、当該現在位置７５２の情報に基づいて、当該ナビ装置３００が実行中のルート案内が、分割ルート情報７３０のうち、いずれの分割ルートによるものかを示す現在設置ルート７５１から構成される。以上が図７の、本発明の実施形態における、各種データテーブルの構成の一例についての説明である。
【００５３】
図４の説明に戻る。管理サーバ２００のＣＰＵ２０１は、ステップＳ４０４で取得したユーザ情報と同一のユーザ情報に対応する地図バージョン７０２を特定して（ステップＳ４０５）、外部メモリより、当該地図バージョン７０２の示すバージョンの地図情報を取得する（ステップＳ４０６）。
【００５４】
そして、当該取得した地図情報と、ステップＳ４０４で取得した出発地点・目的地点の情報を用いてドライブルートの検索（作成）を行う（ステップＳ４０７／ルート取得する）。当該ルートの検索・作成の処理は一般に行われているルート検索の技術を用いて行うものとする。当該検索の方法、及び検索結果のルートを示すデータの詳細については既存のため詳細な説明は割愛する。
【００５５】
管理サーバ２００のＣＰＵ２０１は、当該作成したルートの情報（第１のルート）をルート検索結果７２０に記憶する（ステップＳ４０８）。ここでは、ステップＳ４０７で作成したルート＝ルートＡであるものとする。
【００５６】
管理サーバ２００のＣＰＵ２０１は、当該ルートの作成に用いた地図情報の他に最新のバージョンの地図があるか判定する（ステップＳ４０９）。つまり、当該ルートの作成に用いた地図情報が古いバージョンの地図か最新のバージョンの地図か判定する。
【００５７】
ステップＳ４０７でルートの作成に用いた地図情報が最新のバージョンである場合（ステップＳ４０９でＮＯ）、処理をステップＳ４１３に移行する。ステップＳ４０７でルートの作成に用いた地図情報が最新のバージョンでない場合（ステップＳ４０９でＹＥＳ）、最新地図情報７１０を参照して、最新の地図を特定して取得し（ステップＳ４１０）、当該最新の地図と、ステップＳ４０４で取得した出発地点、目的地点の情報を用いてルート（第２のルート）を検索（作成）する（ステップＳ４１１／ルート取得する）。
【００５８】
そして、生成したルートの情報をルート検索結果７２０に記憶し（ステップＳ４１２）、当該ステップＳ４０７、ステップＳ４１１で作成したそれぞれのルートの情報を含む画面情報を生成して、クライアントＰＣ１００に送信する（ステップＳ４１３）。例えば、ルート検索結果７２０の情報と、当該ルート検索結果７２０の示す各ルートを描画した図８のルート設定画面８００のような画面をクライアントＰＣ１００に送信する。
【００５９】
ここで図８を参照して、本発明の実施形態における、ルート設定画面の構成の一例について説明する。図８は、本発明の実施形態における、ルート設定画面の構成の一例を示す図である。
【００６０】
ここでは、ユーザＩＤに対応するユーザのナビ装置の地図バージョンが最新でないことを前提として説明する。ルート８０３は、古いバージョンの地図情報（ユーザＩＤ７０１に対応する地図バージョン７０２）及び出発地点８０１、目的地点８０２を用いて作成されたルートである。ルート８０４は最新のバージョンの地図情報及び出発地点８０１、目的地点８０２を用いて作成されたルートである。
尚、当該ルート設定画面８００に表示されている地図情報は、最新の地図情報であるものとする。
【００６１】
橋８０５は、管理サーバ２００のＣＰＵ２０１が、最新の地図を用いたルート８０４を前記古いバージョンの地図情報（ユーザＩＤ７０１に対応する地図バージョン７０２）に重ね合わせ、当該ルート８０４上の、前記古いバージョンの地図情報では道として登録されていない一部分を特定して、当該ルート８０４の一部分に位置する最新の地図情報の道を識別表示したものである。当該特定処理は、例えば、図４のステップＳ４１３で送信するルート設定画面８００の作成時に実行される。
【００６２】
ここでは、古いバージョンの地図に橋８０５が存在せず、最新のバージョンの地図に橋８０５が存在しており、且つ、当該橋８０５を最新のルート８０４が通過していることから、当該橋８０５を識別表示している。ＵＲＬ表示部８０６は、ルート設定画面８００のＵＲＬを表示する表示部である。以上が図８の、本発明の実施形態における、ルート設定画面の構成の一例についての説明である。
【００６３】
図４の説明にも戻る。クライアントＰＣ１００のＣＰＵ２０１は、当該ルート情報を受信し（ステップＳ４１４）、表示画面に表示する（ステップＳ４１５）。例えば、図８のルート設定画面８００のような画面を表示する。そして、当該ルート設定画面８００に表示されたルートの１つを分割する分割処理を実行する（ステップＳ４１６）。ステップＳ４１６の詳細については図５の説明で後述する。以上が図４の、本発明の実施形態における、ルート設定処理の概要についての説明である。
【００６４】
次に図５、図９を参照して、本発明の実施形態における、分割ルートの設定処理の流れについて説明する。図５は、本発明の実施形態における、分割ルートの設定処理の流れを示すフローチャートである。図９は、ルート設定画面の構成の一例を示す図である。
【００６５】
クライアントＰＣ１００のＣＰＵ２０１は、例えば、図８のルート設定画面８００において、ルート８０４の押下指示を受け付けることで、表示画面を図９のルート設定画面９００に移行する。そして、出発地点から開始されるルート案内を一時中断する中断地点の指定を受け付ける（ステップＳ５０１／中断地点指定受付）。つまり、図９のルート設定画面９１０でいう、中断地点９１１の指定指示を受け付ける。
当該中断地点の指定の受付は、例えば、ルート８０４（図９に表示されているルート）上の１点（途中地点）の押下指示を受け付けることで実行される。
【００６６】
次に、当該中断地点で中断されるルート案内を再開する再開地点の指定指示を受け付ける（ステップＳ５０２／再開地点指定受付）。つまり、図９のルート設定画面９２０でいう、再開地点９２１の指定指示を受け付ける。
【００６７】
当該中断地点の指定の受付は、例えば、ルート８０４（図９に表示されているルート）上の、中断地点９１１以降の１点の押下指示を受け付けることで実行される。クライアントＰＣ１００のＣＰＵ２０１は、中断地点９１１の指定指示受付後、中断地点９１１以前（出発地点から中断地点までの間）の位置で押下指示を受け付けた場合は、再開地点の指定を受付不可能であるものとして、不図示のエラーのポップアップを表示する。
【００６８】
クライアントＰＣ１００のＣＰＵ２０１は、再開地点の指定指示を受け付けると、当該中断地点と再開地点の位置情報を管理サーバ２００に送信し（ステップＳ５０３）、管理サーバ２００のＣＰＵ２０１はこれを受信して（ステップＳ５０４／中断地点指定受付、再開地点指定受付）、出発地点から中断地点までのルート（ルートＡ）と、再開地点から目的地点までのルート（ルートＢ）を生成する処理を行う（ステップＳ５０５）。つまり、ルート８０４を図９でいうルート９１２（ルートＡ）とルート９２２（ルートＢ）に分割する処理を行う。ここでは、分割されたルートであるルートＡ及びルートＢをひとまとまりのルートとして分割ルートと呼ぶものとする。
【００６９】
管理サーバ２００のＣＰＵ２０１は、当該分割ルート情報（つまりルートＡ及びルートＢの情報）を一時記憶領域に記憶し、当該分割ルート情報を用いて生成したルート設定画面９２０のような画面を生成し、当該分割ルート情報とともにクライアントＰＣ１００に送信する（ステップＳ５０６）。
【００７０】
クライアントＰＣ１００のＣＰＵ２０１はこれを受信し（ステップＳ５０７）、表示画面に表示する（ステップＳ５０８／表示制御する）。つまり、ルート設定画面９２０を表示画面に表示する。
【００７１】
クライアントＰＣ１００のＣＰＵ２０１は、ルートの確定指示を受け付けたか判定する（ステップＳ５０８）。例えば、ルート設定画面９２０のルート確定ボタン９２３の押下を受け付けたか判定する（ステップＳ５０９）。
【００７２】
ルートの確定指示を受け付けていない場合（ステップＳ５０９でＮＯ）、処理をステップＳ５０１の前に戻す。ルートの確定指示を受け付けた場合（ステップＳ５０９でＹＥＳ）、当該ルートの確定指示（正式な記憶指示）を管理サーバ２００に送信し（ステップＳ５１０）、管理サーバ２００のＣＰＵ２０１はこれを受信して（ステップＳ５１１）、当該指示に応じて、ステップＳ５０５で作成した分割ルートの情報を分割ルート情報７３０に記憶する（ステップＳ５１２／分割ルート記憶手段）。以上が図５の、本発明の実施形態における、分割ルートの設定処理の流れについての説明である。
【００７３】
次に図６を参照して、本発明の実施形態における、分割ルートを用いたルート案内処理について説明する。図６は、本発明の実施形態における、分割ルートを用いたルート案内処理の流れを示すフローチャートである。
ナビ装置３００のＣＰＵ２０１は、当該ナビ装置３００が設置された自動車のエンジンの始動に応じてステップＳ６０１以降の処理を開始する。
【００７４】
ナビ装置３００のＣＰＵ２０１は、ＧＰＳ機能を起動して、現在の位置情報を取得する（ステップＳ６０１）。当該位置情報の取得処理はエンジンの停止まで継続して行われる。尚、当該取得した位置情報は、現在位置７５２（図７）に記憶され、逐次更新される。
【００７５】
ナビ装置３００のＣＰＵ２０１は、ナビ装置３００の外部メモリに記憶されている不図示のユーザＩＤ（クライアントＰＣ１００が管理サーバ２００へのログインに用いるユーザＩＤと同一のユーザＩＤ）を含むルートの取得要求を管理サーバ２００に送信し（ステップＳ６０２）、管理サーバ２００は当該要求を受信する（ステップＳ６０３）。
【００７６】
管理サーバ２００のＣＰＵ２０１は、当該要求に含まれるユーザＩＤをユーザＩＤ７３１に有する分割ルート情報７３０を取得して（ステップＳ６０４）、ナビ装置３００に送信する（ステップＳ６０５）。ナビ装置３００のＣＰＵ２０１は、これを受信して（ステップＳ６０６）、当該分割ルート情報７３０の示すそれぞれのルートを表示画面に表示する（ステップＳ６０７）。例えば、図１０のルート確認画面１０００のような画面を表示する。
【００７７】
ナビ装置３００のＣＰＵ２０１は、例えば、図１０のルート確認画面１０００の、ナビ開始ボタン１００１の押下指示を受け付けることで、現在地点から最も近い開始地点７３４を有するルートはどのルートか判定し、当該現在地点から最も近い開始地点７３４を有するルートをナビ装置３００に設定して（ステップＳ６０８）、ルート案内を開始する（ルート案内開始手段）。ここではルートＡを取得して設定するものとする。
【００７８】
ナビ装置３００のＣＰＵ２０１は、現在位置７５２の値を参照して、当該ナビ装置３００が、ルートＡの終着地点７３５（図１０でいう中断地点１００２）に到達したか判定し（ステップＳ６０９／中断判定）、未到達の場合は（ステップＳ６０９でＮＯ）処理をステップＳ６０９の前に戻し、到達したと判定した場合は（ステップＳ６０９でＹＥＳ）、ルートＡのナビ（ルート案内）を終了して、処理をステップＳ６１０に移行する。
【００７９】
ナビ装置３００のＣＰＵ２０１は、現在位置７５２の値を参照して、当該ナビ装置３００が、ルートＢの開始地点７３４（図１０でいう再開地点１００３）に到達したか判定し（ステップＳ６１０／再開判定）、未到達の場合は（ステップＳ６１０でＮＯ）処理をステップＳ６１０の前に戻し、到達したと判定した場合は（ステップＳ６１０でＹＥＳ）、ルートＢをナビ装置３００に設定し（ステップＳ６１１）、ルートＢのナビ（ルート案内）を開始する。
【００８０】
そして、現在位置７５２の値を参照して、当該ナビ装置３００が、ルートＢの終着地点７３５（図１０でいう目的地点）に到達したか判定し（ステップＳ６１２）、未到達の場合は（ステップＳ６１２でＮＯ）処理をステップＳ６１２の前に戻し、到達したと判定した場合は（ステップＳ６１２でＹＥＳ）、ここではルートＢの終着地点＝目的地点のため、ルート案内を終了する。以上が図６の、本発明の実施形態における、分割ルートを用いたルート案内処理についての説明である。
【００８１】
尚、図４のステップＳ４１６の前に、図８のルート８０３の選択を受け付けた場合、処理を図５のステップＳ５１０に移行するようにしてもよい。つまり、ユーザからのルートの選択指示を受け付け、選択されたルートが新しいルートか古いルートかを判定して、新しいルートが選択されたと判定した場合、図５のステップＳ５０１〜Ｓ５０８に示す、分割ルートの生成、及び生成のための指示受付、生成結果の表示処理を行う。古いルートの選択を受け付けた場合、上記ステップＳ５０１〜Ｓ５０８の処理を行わず、ルートを確定するものとする。
【００８２】
これは、古いルートが選択された＝ユーザのナビ装置３００で設定可能なルートであり、当該ナビ装置３００で設定可能なようにルートを分割する必要がないためである。
【００８３】
また、図４のステップＳ４０９で、地図バージョン７０２に応じて取得した地図が最新バージョンであると判定した場合（ステップＳ４０９でＹＥＳ）、も同様に、上記ステップＳ５０１〜Ｓ５０８の処理をスキップして処理をステップＳ５１０に移行する。
【００８４】
また、ステップＳ４１１で最新の地図情報を用いたルートを作成した後、管理サーバ２００のＣＰＵ２０１が、ステップＳ４１１で作成したルートと、ステップＳ４０７で作成したルートとの一致率が所定の割合以上か判定し、所定の割合以上一致する場合は、ステップＳ４０７で生成したルートのみを配置したルート設定画面８００を生成してクライアントＰＣ１００に送信するようにしてもよい。当該所定の割合の情報は、管理サーバ２００の外部メモリに予め記憶されているものとする。
【００８５】
この場合も、クライアントＰＣ１００が受信するルートの情報は、ナビ装置３００で設定可能なルートを示しているため、上記ステップＳ５０１〜Ｓ５０８の処理をスキップして処理をステップＳ５１０に移行する。
【００８６】
ステップＳ５０１〜Ｓ５０８の処理をスキップして処理をステップＳ５１０に移行した場合、ステップＳ５１２では、管理サーバ２００の外部メモリに記憶されている不図示の通常ルート情報の格納テーブル（ルート検索結果７２０と同一項目を有するテーブル）に、分割されていない通常のルートの情報が記憶される。
【００８７】
尚、上述した実施形態においては、図４のステップＳ４１３の前に、管理サーバ２００が図８のルート設定画面８００のような画面（古い地図を用いたルートと最新のルートを１つの地図上に配置した画面）を生成してクライアントＰＣ１００に送信するものとしたが、例えば、図１１に示すような、古い地図を用いたルートと最新のルートをそれぞれ別の地図上に配置して、比較するように表示し、いずれのルートを管理サーバ２００に登録するかユーザに選択させるルート設定画面１１００を生成して、クライアントＰＣ１００に送信するようにしてもよい。
【００８８】
この場合、クライアントＰＣ１００は、ステップＳ４１５で当該ルート設定画面１１００を表示し、最新ルートの選択指示を受け付けることで、処理をステップＳ４１６に進める。
【００８９】
また、図６のステップＳ６０２の要求に応じてナビ装置３００が取得可能な分割ルート情報が複数あった場合（分割ルート情報７３０において、異なるルートＩＤ７３２を有するルートがあった場合）、例えば、管理サーバ２００のＣＰＵが、ステップＳ５１２で直近に記憶された分割ルート情報をナビ装置３００に送信するようにしてもよい。
【００９０】
また、管理サーバ２００のＣＰＵ２０１は、ステップＳ６０３でルートの取得要求を受け付けた場合に、分割ルート情報７３０と、前述した不図示の通常ルート情報の格納テーブルを参照して、通常ルート情報の格納テーブルにのみルート情報が存在する場合、ナビ装置に、当該通常のルート情報を送信する。
分割ルート情報７３０にのみルート情報（分割ルート情報）が存在する場合、ナビ装置に、当該分割ルート情報を送信する。
【００９１】
分割ルート情報７３０と、前述した不図示の通常ルート情報の格納テーブルの両方にルート情報が存在する場合（両方のテーブルにルート情報が存在するか判定し、あると判定した場合）、分割ルート情報をナビ装置３００に送信するものとする。
【００９２】
これは、上述した実施形態においては、通常ルート＝ナビ装置３００で設定可能なルートであり、つまり、ナビ装置３００に対して直接操作がされた場合であってもナビ装置３００に設定可能であるのに対し、分割ルートはナビ装置３００単体では設定できないためである。
【００９３】
以上説明した通り、本発明によれば、ドライブルートを分割して、１つのルートとして容易に設定することが可能な仕組みを提供することができる。
【００９４】
以上、一実施形態について示したが、本発明は、例えば、システム、装置、方法、プログラムもしくは記録媒体等としての実施態様をとることが可能であり、具体的には、複数の機器から構成されるシステムに適用しても良いし、また、一つの機器からなる装置に適用しても良い。
【００９５】
前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読出し実行することによっても、本発明の目的が達成されることは言うまでもない。
【００９６】
この場合、記録媒体から読み出されたプログラム自体が本発明の新規な機能を実現することになり、そのプログラムを記憶した記録媒体は本発明を構成することになる。
【００９７】
プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク、ソリッドステートドライブ等を用いることができる。
【００９８】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００９９】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１００】
さらに、本発明を達成するためのプログラムをネットワーク上のサーバ、データベース等から通信プログラムによりダウンロードして読み出すことによって、そのシステムあるいは装置が、本発明の効果を享受することが可能となる。なお、上述した各実施形態およびその変形例を組み合わせた構成も全て本発明に含まれるものである。
【符号の説明】
【０１０１】
１００  クライアントＰＣ
１０１  ＷＡＮ
２００  管理サーバ
３００  ナビ装置
【図１】
2015125024.tif 000003
【図２】
2015125024.tif 000004
【図３】
2015125024.tif 000005
【図４】
2015125024.tif 000006
【図５】
2015125024.tif 000007
【図６】
2015125024.tif 000008
【図７】
2015125024.tif 000009
【図８】
2015125024.tif 000010
【図９】
2015125024.tif 000011
【図１０】
2015125024.tif 000012
【図１１】
2015125024.tif 000013